(57)【要約】【目的】本発明は持ち運びに便利で操作の容易な有端円形リングの押し拡げ治具を新規に提供することを目的とするものである。【構成】本発明は基端側に回し棒を取付けた主筒と、該主筒の先端部に半円切欠部を設け、該半円切欠部に隣接する周面より一方の押し棒を張出し取付け、該主筒内に不回転にて丸軸を挿嵌し、該丸軸の前記半円切欠部に面す部分より他方の押し棒を張出し取付け、両押し棒を有端円形リングの重なり端を挟んだ２つの掛止部に嵌め掛けておいて前記回し棒を反時計方向に回動して主筒を回動させることにより有端円形リングの重なり端を押し拡げて内側のゴム輪をマンホールの側面孔に圧着させることを特徴とするマンホール側面孔にゴム輪を圧着させる有端円形リングの押し拡げ治具にある。【選択図】        図５
2004190262.tif 000002
【特許請求の範囲】
【請求項１】
基端側に回し棒を取付けた主筒と、該主筒の先端部に半円切欠部を設け、該半円切欠部に隣接する周面より一方の押し棒を張出し取付け、該主筒内に不回転にて丸軸を挿嵌し、該丸軸の前記半円切欠部に面す部分より他方の押し棒を張出し取付け、両押し棒を有端円形リングの重なり端を挟んだ２つの掛止部に嵌め掛けておいて前記回し棒を反時計方向に回動して主筒を回動させることにより有端円形リングの重なり端を押し拡げて内側のゴム輪をマンホールの側面孔に圧着させることを特徴とするマンホール側面孔にゴム輪を圧着させる有端円形リングの押し拡げ治具。
【請求項２】
有端円形リングは横断方向に凹凸曲面の連なる波形にて形成し、且つ押し拡げた状態で固定させるために両端に突出し形の差し込み片と受止め筒部を設けている請求項１記載のマンホール側面孔にゴム輪を圧着させる有端円形リング。
【請求項３】
２つの掛止部は有端円形リングの重なり端を挟んだ内面に横断取付けするブリッジである請求項２記載の有端円形リング。
【請求項４】
２つの掛止部は有端円形リングの重なり端を挟んだ内面に切込み起こしして設けた１または２個の掛止孔である請求項２記載の有端円形リング。
【請求項５】
押し棒はブリッジの側端面に嵌め掛けする溝を設けている請求項１記載の押し拡げ治具。
【請求項６】
押し棒は先端に掛止孔に嵌入掛止する突子を設けている請求項１記載の押し拡げ治具。
【請求項７】
押し棒を間隔を置いたブリッジの２個所または２個の掛止孔に相対する２本づつまたは２本分岐形にて設ける請求項５または６に記載の押し拡げ治具。
【発明の詳細な説明】
【０００１】
【発明が属する技術分野】
この発明はマンホール側面孔における有端円形リングの押し拡げ治具、詳しくはマンホール側面孔にゴム輪を圧着させるための有端円形リングの押し拡げ治具に関するものである。
【０００２】
【従来の技術】
マンホールの側面孔と流水管との間には可とう継手として倒置Ｖ形をしたゴム輪を介在させているが、このゴム輪のうちマンホールの側面孔に嵌挿する部分はゴム輪の内側に当て嵌めした有端円形リングを押し拡げて以ってゴム輪をマンホールの側面孔に圧着するようにしている。従来は特許第３０２６０６８号公報に記載されている開閉アーム付きの油圧ジャッキを用いて押し拡げるようにしている。
【０００３】
【発明が解決しようとする課題】
しかしながら、開閉用アーム付きのジャッキは重量物によって運び込みと据付けに難儀しており、しかも作業性が極めて悪いという課題があった。
【０００４】
【課題を解決するための手段】
本発明は梃子原理により軽く操作することのできる手持ちタイプの治具にて押し拡げ圧着するようにして、かかる課題を解決するようにしたのである。
【０００５】
【発明の実施の形態】
図１に示すようにマンホール１の側面孔２に断面形を倒置Ｖ形とするゴム輪３の一端３ａを嵌め、その内側に有端円形リング４を当てがう。該リング４は図２に示すように横断方向に凹凸曲面が連続する波形が付されていて且つ押し拡げを可能とする幅長の重なり端部分４ａ，４ｂを有し、相互の先端に突出し形の差し込み片４ｃと内折りした受止め筒部４ｄとを設けている。さらに重なり端部分４ａ，４ｂを挟んだ両側内面に押し拡げ用の掛止部としてのブリッジ５ａ，５ｂを横断するように渡し嵌め取付けている。６はブリッジ５ａ，５ｂを渡し嵌めするための凹溝であり、７は固定させるためのカシメ部分を示している。ブリッジ５ａ，５ｂは溶接取付けすることもある。
【０００６】
図３は有端円形リング４を押し拡げるための治具８を示すもので、図３（ｂ）に示すように先端に半円切欠部９を設け、該半円切欠部９の一側に隣接して一方の押し棒１０ａを張出し取付け、基端に長い回し棒１１ａ，１１ｂを取付けた主筒１２と、主筒１２内に不回転にて嵌挿する丸軸１３の切欠部９に面する部分より他方の押し棒１０ｂを張出し取付けしてなる。なお１０ｃ，１０ｄは押し棒１０ａ，１０ｂの先端に設ける挟み溝、１２ａは丸軸１３の抜け出し防止用に溶着するキャップである。
【０００７】
押し拡げ用の治具８は図４に示すように前倒しして押し棒１０ａ，１０ｂの先端の挟み溝１０ｃ，１０ｄをブリッジ５ａ，５ｂの側端面に挟みつけておいて長い回し棒１１ａ，１１ｂを持って主筒１２を押し棒１０ａ方向、すなわち半時計方向に回動させるのである。押し棒１０ａは図５に示すように主筒１２とともに梃子原理にて軽く回動して不回転の押し棒１０ｂとの間の角度が１８０度近くまで開いて有端円形リング４を押し拡げて重なり端部分４ａ，４ｂの重なりが解けて先端が突合い、そこで回し棒１１ａと主筒１２の回動を止めると戻り圧にて図６に示すように差し込み片４ｃが受止め筒部４ｄに嵌入して押し拡げた状態で有端円形リング４を固定して内側のゴム輪３の一端３ａをマンホール１の側面孔２に圧着させることとなる。
【０００８】
以上のようにして有端円形リング４を固定した後は図７に示すようにゴム輪３の他端３ｂを側面孔２に挿嵌する流水管１４に嵌めて、その管表との間でバンド１５締めして固定するとともにバンド１５締め部分より内側の管表にストッパーテープ１６を巻着して外側に引張力が加わってもバンド１５締め部分より流水管１４が抜出することを防止する。１７は側面孔２の内側間隙を均すために埋める目地材、１８は土砂の侵入を防止するためにゴム輪３の一端３ａと他端３ｂ間に嵌着する防護リングである。なおゴム輪３はＶ形のほか図８に示すような他端側をすぼめた一重形にて形成するものもある。また有端円形リング４もゴム輪３の大きさに合わせて図９に示すように幅広のものもある。
【０００９】
図１０は押し拡げ治具８の他の例を示し、ブリッジ５ａ，５ｂの中央部を１点押しするのではなく間隔を置いた２点を押すようにしたもので、図１０（ａ）は押し棒１０ａ，１０ｂをそれぞれ２本づつ設けた例、図１０（ｂ）は１本の押し棒の先端を二股に分岐した例を示すものである。かくすることにより押し拡げ時の安定性を向上することができることとなる。
【００１０】
図１１は押し拡げ用の掛止部としてブリッジの取付けにかえて有端円形リング４の中央の波形の凹溝を２本の切込線間部分で図１１（ａ）および（ｂ）に示すように凸形に上方に起こして形成した掛止孔５ｃを設けた例を示すものであり、この場合に使用する押し拡げ治具８は図１１（ｃ）に示すように押し棒１０ａ，１０ｂの先端に掛止孔５ｃに嵌入掛止する突子１０ｅを設けるのである。掛止孔５ｃは凹溝の途中に形成されるため、押し棒１０ａ，１０ｂの突子１０ｅは凹溝を滑らせてゆく要領にて自然に掛止孔５ｃに進入するので嵌入掛止作業が至極容易に行えることとなる。
【００１１】
【発明の効果】
本発明は以上のようにして、手持ち形式の押し拡げ治具にて有端円形リングを梃子原理により軽く押し拡げてゴム輪をマンホールの側面孔に圧着させることができるという効果を生ずる。
【００１２】
有端円形リングの重なり端部分の外側内面にブリッジまたは掛止孔を取付け、押し棒の先端に挟み溝または突子を設けたので、押し拡げが円滑に行える効果を生ずる。
【図面の簡単な説明】
【図１】マンホールの側面孔にゴム輪の一端を嵌めた状態にて示す縦断面図
【図２】有端円形リングの重なり端部分を離して示す拡大斜視図
【図３】本発明の押し拡げ治具を示すもので、（ａ）は斜視図、（ｂ）は同、部材別にて示す斜視図
【図４】（ａ）は有端円形リングの先端部が重なり合った状態で両押し棒の先端の挟み溝をそれぞれブリッジの側端面に挟み付けたスタート姿勢を示す正面図、（ｂ）は同、有端円形リング部分の平面図
【図５】（ａ）は回し棒の回転により押し棒間を開いて有端円形リングの重なりを解いた状態を示す正面図、（ｂ）は同、リング部分の平面図
【図６】回し棒を弛めることにより差し込み片が受止め筒部に嵌入して有端円形リングを押し拡げた状態にて固定した平面図
【図７】流水管を取付けた状態を示す縦断面図
【図８】ゴム輪の他の形状例を示す縦断面図
【図９】幅広の有端円形リングの１例を示す部分斜視図
【図１０】押し拡げ治具の他の例を示すもので、（ａ）は押し棒を２本づつにて設けた例、（ｂ）は１本の押し棒の先端を二股に設けた例を示す斜視図
【図１１】（ａ）はブリッジ取付けにかえて掛止孔を設けた例を示す有端円形リングの部分斜視図、（ｂ）は同、ｂ−ｂ線断面図、（ｃ）は押し棒の先端に設けた突子を掛止孔に嵌入掛止した状態を示す部分拡大断面図
【符号の説明】
１はマンホール
２は側面孔
３はゴム輪
３ａはゴム輪の一端
３ｂはゴム輪の他端
４は有端円形リング
４ａ，４ｂは重なり端部分
４ｃは差し込み片
４ｄは受け止め筒部
５ａ，５ｂはブリッジ
５ｃ，５ｄは掛止孔
６は凹溝
７はカシメ
８は治具
９は半円切欠部
１０ａは一方の押し棒
１０ｂは他方の押し棒
１０ｃ，１０ｄは押し棒先端の挟み溝
１０ｅは押し棒先端に設けた突子
１１ａ，１１ｂは回し棒
１２は主筒
１２ａはキャップ
１３は丸軸
１４は流水管
１５はバンド
１６は目地材
１７はストッパーテープ
１８は防護リング
【図１】
2004190262.tif 000003
【図２】
2004190262.tif 000004
【図３】
2004190262.tif 000005
【図４】
2004190262.tif 000006
【図５】
2004190262.tif 000007
【図６】
2004190262.tif 000008
【図７】
2004190262.tif 000009
【図８】
2004190262.tif 000010
【図９】
2004190262.tif 000011
【図１０】
2004190262.tif 000012
【図１１】
2004190262.tif 000013